(57)【要約】【課題】羽根の安定駆動を実現できる羽根駆動装置及び光量調整装置並びに撮像装置を提供する。【解決手段】光が通過する開口部を形成する開口形成部材と、前記開口形成部材の前記開口部に対して直進して出入りする羽根と、前記羽根の端部に係合状態で回動される係合ピンを有する羽根駆動手段と、を備え、前記羽根の端部には、前記係合ピンが挿入される長孔が前記羽根の直進方向と交差する方向に延設され、且つ前記長孔の長手方向の少なくとも一端部には、テーパ面が設けられ、前記係合ピンの外周部には、前記長孔の前記テーパ面に対して斜めに面当接する当接面が設けられ、前記長孔の前記テーパ面と前記係合ピンの前記当接面とが斜めに面で当接することにより、前記羽根の走行が停止されることを特徴とする。【選択図】図３
2016136201.tif 000002
【特許請求の範囲】
【請求項１】
光が通過する開口部を形成する開口形成部材と、
前記開口形成部材の前記開口部に対して直進して出入りする羽根と、
前記羽根の端部に係合状態で回動される係合ピンを有する羽根駆動手段と、を備え、
前記羽根の端部には、前記係合ピンが挿入される長孔が前記羽根の直進方向と交差する方向に延設され、且つ前記長孔の長手方向の少なくとも一端部には、テーパ面が設けられ、
前記係合ピンの外周部には、前記長孔の前記テーパ面に対して斜めに面当接する当接面が設けられ、
前記長孔の前記テーパ面と前記係合ピンの前記当接面とが斜めに面当接することにより、前記羽根の走行が停止されることを特徴とする羽根駆動装置。
【請求項２】
前記羽根駆動手段は、複数の前記係合ピンを有し、
１つの前記係合ピンに対して少なくとも１枚の前記羽根が対応して係合し、
複数の前記羽根によって前記開口部内で所定の光通過開口を形成することを特徴とする請求項１に記載の羽根駆動装置。
【請求項３】
前記羽根が前記開口部の外側に退避した後に、前記長孔の前記テーパ面と前記係合ピンの前記当接面とが斜めに面当接して、前記羽根の走行が停止されることを特徴とする請求項１又は２に記載の羽根駆動装置。
【請求項４】
前記羽根が前記開口部の内側に進入した後に、前記長孔の前記テーパ面と前記係合ピンの前記当接面とが斜めに面当接して、前記羽根の走行が停止されることを特徴とする請求項１又は２に記載の羽根駆動装置。
【請求項５】
請求項１乃至４のいずれか１項に記載の羽根駆動装置を備えたことを特徴とする光量調整装置。
【請求項６】
請求項５に記載の光量調整装置を備えたことを特徴とする撮像装置。
【発明の詳細な説明】
【技術分野】
【０００１】
本発明は、例えば、デジタルカメラ、ビデオカメラ等の光学機器に用いられる羽根駆動装置、及びこの羽根駆動装置を備えた光量調整装置、並びにこの光量調整装置を備えた撮像装置に関する。
【背景技術】
【０００２】
カメラ等の光学機器に搭載される光量調整装置としては、例えば、光が通過する開口が形成された基板に直動可能に支持された複数の羽根を備えたものが知られている（特許文献１参照）。
【０００３】
このような光量調整装置では、複数の羽根が協働して光量を調整するため、複数の羽根の相対的な位置関係にズレが生じてしまうと、結果として、光量調整のばらつきとなり、撮影画質に影響を及ぼすおそれがある。
【先行技術文献】
【特許文献】
【０００４】
【特許文献１】特開２０１０−８８９４号公報
【発明の概要】
【発明が解決しようとする課題】
【０００５】
従来の光量調整装置では、各羽根の往復動作時において各羽根の端部をストッパに当接させて羽根の走行停止を行う場合、羽根がストッパ当接時にバウンドしてしまうことがあった。このため、光量調整のばらつきが生じるおそれがあった。
【０００６】
本発明は、羽根の安定駆動を実現できる羽根駆動装置及び光量調整装置並びに撮像装置を提供する。
【課題を解決するための手段】
【０００７】
本発明の羽根駆動装置は、光が通過する開口部を形成する開口形成部材と、前記開口形成部材の前記開口部に対して直進して出入りする羽根と、前記羽根の端部に係合状態で回動される係合ピンを有する羽根駆動手段と、を備え、前記羽根の端部には、前記係合ピンが挿入される長孔が前記羽根の直進方向と交差する方向に延設され、且つ前記長孔の長手方向の少なくとも一端部には、テーパ面が設けられ、前記係合ピンの外周部には、前記長孔の前記テーパ面に対して斜めに面当接する当接面が設けられ、前記長孔の前記テーパ面と前記係合ピンの前記当接面とが斜めに面当接することにより、前記羽根の走行が停止されることを特徴とする。
かかる本発明の態様によれば、係合ピンの当接面が長孔のテーパ面に面当接することにより羽根に加わる物理的な衝撃が分散して緩和されることから、羽根の駆動が安定化し、光量調整のばらつき等を低減できる。
【０００８】
また、本発明の羽根駆動装置は、前記羽根駆動手段は、複数の前記係合ピンを有し、１つの前記係合ピンに対して少なくとも１枚の前記羽根が対応して係合し、複数の前記羽根によって前記開口部内で所定の光通過開口を形成することを特徴とする。
かかる本発明の態様によれば、複数の羽根それぞれのバウンドを有効に防止できる。
【０００９】
また、本発明の羽根駆動装置は、前記羽根が前記開口部の外側に退避した後に、前記長孔の前記テーパ面と前記係合ピンの前記当接面とが斜めに面当接して、前記羽根の走行が停止されることを特徴とする。
かかる本発明の態様によれば、全開状態とした羽根のバウンドを有効に防止でき、その結果、再露光などが生じることもないため、安定した光量調整を行える。
【００１０】
また、本発明の羽根駆動装置は、前記羽根が前記開口部の内側に進入した後に、前記長孔の前記テーパ面と前記係合ピンの前記当接面とが斜めに面当接して、前記羽根の走行が停止されることを特徴とする。
かかる本発明の態様によれば、全閉状態とした羽根のバウンドを有効に防止でき、その結果、再露光などが生じることもないため、安定した光量調整を行える。
【００１１】
なお、本発明は、上記の羽根駆動装置を備えた光量調整装置、またはこの光量調整装置を備えた撮像装置についても広く対象とする。
かかる本発明の態様によれば、光量調整のばらつきを低減できる羽根駆動によって撮影品質のばらつきを低減できる光量調整装置、撮像装置を実現できる。
【発明の効果】
【００１２】
本発明によれば、羽根の安定駆動を実現できる羽根駆動装置及び光量調整装置並びに撮像装置を実現できる。
【図面の簡単な説明】
【００１３】
【図１】本発明の実施形態を示す光量調節装置の分解斜視図。
【図２】図１に示す光量調節装置の羽根カバーを取り外した状態の上面図を示し、    （ａ）は全開状態、（ｂ）は全閉状態を示す図。
【図３】本発明の実施形態を示す全開状態の要部拡大上面図。
【図４】本発明の実施形態を示す全閉状態の要部拡大上面図。
【発明を実施するための形態】
【００１４】
本発明は、光が通過する開口部に直進して出入りする羽根と、この羽根の端部に係合状態で回動される係合ピンを有する羽根駆動手段との係合構造に関するものである。
【００１５】
具体的には、羽根の端部には、羽根駆動手段の係合ピンが挿入される長孔が羽根の直進方向と交差する方向に延設され、この長孔の長手方向の少なくとも一端部には、テーパ面が設けられている。さらに、係合ピンの外周部には、長孔の前記テーパ面に対して斜めに面当接する当接面が設けられ、長孔のテーパ面と係合ピンの当接面とが斜めに面で当接し、この時点で羽根の走行が実質的に停止される。
【００１６】
このような本発明の構成によれば、羽根の走行停止のために、係合ピンの当接面が長孔のテーパ面に斜めに面で当接することになるが、このとき長孔の長手方向一端部側において係合ピンと羽根との係合状態が実質的に変化し、羽根の物理的な衝撃集中が緩和、すなわち、羽根に加わる物理的な衝撃が分散して緩和される。これにより、羽根の走行停止に伴う羽根のバウンドが抑制される。このため、羽根の走行停止位置が安定化し、光量調整のばらつきが低減され、撮像品質の安定化を図ることができる。例えば、本発明を絞り装置に適用すれば、複数の羽根によって形成される光が通過する開口を安定的に形成することが可能となり、本発明をシャッタ装置に適用すれば、複数の羽根によって光が通過する開口部を開閉する羽根の動作が安定して再露光などを有効に防止できる。これにより、羽根を用いて高精度で安定した光量調整が可能となる。
【００１７】
ここで、係合ピンと羽根との係合状態が変化するとは、例えば、回動する係合ピンに対して長孔が係合し、これによって羽根は動力を受けて直進動作するが、係合ピンが回動するにつれて、長孔内における係合ピンの相対位置が変化することを含む。そして、係合ピンが長孔の長手方向一端部に当接した時点で、羽根の走行は停止する。このとき、本発明では、長孔の長手方向一端部にテーパ面を設け、且つ係合ピンにも当接面を設けて、相互衝突する部分が面で当接するようにしており、これによって係合ピンと羽根との係合状態が更に変化している。これにより、羽根が受ける衝撃が分散、すなわち、羽根の直進方向と異なる方向に衝撃の方向が分散するため、羽根の直進方向におけるバウンドを有効に防止することが可能となる。
【００１８】
例えば、本発明の具体的な構成例としては、光を透過させる開口が形成された地板と、この地板に設けられたガイド軸により地板に対し平行往復運動可能に支持案内された複数の遮光部材と、駆動モータへの通電で回動することにより複数の遮光部材を駆動させ、複数の遮光部材と係合している駆動軸を形成している駆動手段と、を有する構成が挙げられる。この構成例では、駆動モータへの通電により複数の遮光部材の少なくとも２つを互いに相反する方向に平行往復運動させて光量を調整（調節）する光量調整装置となるが、その駆動軸には、複数の遮光部材と係合している、丸軸形状の当接部以外に、ストレート面（当接面）を有している。これにより、互いに相反する方向に平行往復運動する少なくとも１つの遮光部材は、開放、あるいは、全閉動作時に、駆動軸が有しているストレート面と当接することにより、平行往復運動の衝撃を面で受けるのと同時に平行往復運動とは異なった方向に力を分散させることが可能となる。
【００１９】
このような本発明の構成例では、複数の遮光部材を平行往復運動させている駆動手段が有している、駆動軸には、互いに相反する方向に平行往復運動を行う少なくとも1つの遮光部材に対して、平行往復運動の衝撃を受け面（上記ストレート面）を備えているので、地板等の他のスペースにストッパを設ける必要がなく、装置の小型化に有利なものである。
【００２０】
以下、図１〜図４を参照して本発明の実施の形態について詳細に説明する。
【００２１】
図１は本実施形態による光量調節装置の分解斜視図、図２は図１の上面図（羽根カバーを取り外した状態）で、（ａ）は全開状態、（ｂ）は全閉状態である。具体的には、図２（ａ）は、地板１に形成した開口１aが移動可能な遮光部材である第１の絞りシャッタ羽根３及び第２の絞りシャッタ羽根４によって全開した状態を表しており、図２（ｂ）は、開口１aが閉鎖され全閉した状態を表している。また、図３、図４は本発明の実施形態を示す要部拡大上面図である。
【００２２】
図１に示すように、この光量調節装置は、駆動モータであるステッピングモータ８と、このステッピングモータ８で回動される遮光部材駆動手段である羽根駆動レバー２と、この羽根駆動レバー２の両端にそれぞれ設けられた駆動軸２ａ，２ｂと、駆動軸２ａ，２ｂがそれぞれ係合される略矩形平板状に形成された一対の第１の絞りシャッタ羽根３と第２の絞りシャッタ羽根４と、地板１の片面側に収納配置される一対の第１、第２の絞りシャッタ羽根３，４の光軸方向の動きを規制する羽根カバー５と、光量調節装置の基板をなす地板１と、を備えている。この地板１は、光が通過する開口部を形成する開口形成部材となる。なお、この地板１には、一対の第１、第２の絞りシャッタ羽根３，４を平行移動可能に支持案内するためのガイド軸６，７が地板１に隔設して設けられている。
【００２３】
ステッピングモータ８は、円筒外周面にＳ極とＮ極を交互に例えば１０極着磁された不図示のロータ（ロータマグネット）と、該ロータマグネットに設けられた回動軸９と、前記ロータマグネットの外周に配置され、９０度の電気的位相差をもつ励磁コイルからなる２つの電磁石（不図示）とを有している。このステッピングモータ８は、ステッピングモータ駆動回路（不図示）から前記２つの励磁コイルに通電することにより正逆回転する２相ステッピングモータである。なお、このステッピングモータ８は、地板１に固定ネジ１０によって締結されている。
【００２４】
第１の絞りシャッタ羽根３の他側には、ガイド軸６，７と係合する長手方向の前後に長い長孔３ｃ，３ｄが形成されている。同様に第２の絞りシャッタ羽根４の他側にも、ガイド軸６，７と係合する長手方向の前後に長い長孔４ｃ，４ｄが形成されている。
【００２５】
この光量調節装置では、羽根駆動レバー２の回転により一対の絞りシャッタ羽根３，４が、互いに相反する方向へ平行往復運動することにより、絞りシャッタ羽根３，４の絞り開口部３ａ，４ａにより絞り開口が形成される。そして、絞りシャッタ羽根３，４それぞれの位置関係によって、開口の大きさが変化することにより光量調節が行われるが、羽根は二枚に限らず３枚以上の複数の羽根によって開口を形成するようにしても良い。また、それらの中にＮＤフィルターを含む構成とすることもできる。
【００２６】
図２に示すようにこの光量調節装置のシャッタ動作としては、羽根駆動レバー２の回転により一対の絞りシャッタ羽根３，４が、互いに相反する方向へ平行往復運動を、開口部１ａを覆う状態の全閉状態まで動作を行う。この時に、図３、図４に示すように、開口部１ａを全開状態(図３)から全閉状態(図４)の範囲の動作には、絞りシャッタ羽根３に形成している長孔３ｂと係合している、駆動軸２ａに形成している、丸軸形状の羽根指示部２ｃ、２ｄにより絞りシャッタ羽根３の平行往復運動を可能としている。また図３に示すようにこの平行往復運動に必要としない、部分を面形状としたストッパ面（当接面）２ｅに第一の絞りシャッタ羽根３に形成している、ストッパ面（テーパ面）３ｅを当接させることにより、一対の絞りシャッタ羽根３、４の位置を決めると共に、第１絞りシャタ羽根３、に対する当接時のベクトル方向を拡大分散させるようにしている。
【００２７】
これにより、絞りシャッタ羽根３の平行往復運動に対して、面で当接すること事で接触面積を拡大し衝撃力を分散させる事ができ、またさらに、この当接面を絞りシャッタ羽根３の全閉方向に向かう平行往復運動に対して角度をつけた面とすることで、当接時のベクトル方向を拡大分散させるようにして第１絞りシャッタ羽根３のバウンド力を低減させることができる。
【００２８】
以上、本発明を実施形態に基づいて説明したが、本実施例では駆動軸２ａに対して、絞りシャッタ羽根３を当接する構成を例にあげたが、駆動軸２ｂに対しても同様の構成とすれば、同様の効果が得られる。また全閉動作時だけではなく、開放動作時においても、同様の構成とすることで、本発明は適用できる。
【００２９】
また、本発明は上記した各実施形態に限定されるものではなく、種々の制御が可能である。例えば、上記した実施形態では駆動源にステッピングモータを使用し、ステッピングモータの駆動方式を１―２相励磁や２相励磁駆動を用いているが、マイクロステップ駆動等の駆動方式であってもよい。さらにはＤＣモータを用い、位置検出センサなどと組み合わせて絞り制御を行うようにしてもよい。
【図１】
2016136201.tif 000003
【図２】
2016136201.tif 000004
【図３】
2016136201.tif 000005
【図４】
2016136201.tif 000006